【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力の前群と、正の屈折力の後群から構成され、ズーミングに際して前記前群と前記後群が互いに異なる軌跡で移動する光学系において、
前記後群はフォーカシングに際して移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面は凹形状であることを特徴とする光学系。
【請求項２】
広角端から望遠端へのズーミングに際して、前記前群は像側へ凸状の軌跡で移動し、前記後群は物体側へ移動することを特徴とする請求項１に記載の光学系。
【請求項３】
前記レンズ系ＬＦの焦点距離をｆｆｚ、広角端における全系の焦点距離をｆｗとするとき、
３．０＜ｆｆｚ／ｆｗ＜１５．０
なる条件式を満足することを特徴とする請求項１または２に記載の光学系。
【請求項４】
前記レンズユニットＧＡの最も物体側のレンズ面の曲率半径をＲ１ａｚ、前記レンズ系ＬＦの焦点距離をｆｆｚとするとき、
０．１＜Ｒ１ａｚ／ｆｆｚ＜０．５
なる条件式を満足することを特徴とする請求項１乃至３のいずれか１項に記載の光学系。
【請求項５】
前記レンズユニットＧＢの最も物体側のレンズ面の曲率半径をＲ１ｂｚ、前記レンズ系ＬＦの焦点距離をｆｆｚとするとき、
０．１＜｜Ｒ１ｂｚ／ｆｆｚ｜＜０．６
なる条件式を満足することを特徴とする請求項１乃至４のいずれか１項に記載の光学系。
【請求項６】
前記レンズユニットＧＡの最も像側のレンズ面と前記レンズユニットＧＢの最も物体側のレンズ面により形成される空気レンズの焦点距離をｆａｂｚ、前記レンズ系ＬＦの焦点距離をｆｆｚとするとき、
０．３＜｜ｆａｂｚ／ｆｆｚ｜＜１．５
なる条件式を満足することを特徴とする請求項１乃至５のいずれか１項に記載の光学系。
【請求項７】
前記レンズユニットＧＢは負の屈折力を有することを特徴とする請求項１乃至６のいずれか１項に記載の光学系。
【請求項８】
広角端におけるレンズ全長をＬｗ、広角端における全系の焦点距離をｆｗとするとき、８．０＜Ｌｗ／ｆｗ＜２０
なる条件式を満足することを特徴とする請求項１乃至７のいずれか１項に記載の光学系。
【請求項９】
前記レンズユニットＧＡは、負レンズと該負レンズの像側に隣接して配置された正レンズが接合された接合レンズＧＡＡからなり、前記接合レンズＧＡＡを構成する負レンズの材料の屈折率をＮｎｚ、前記接合レンズＧＡＡを構成する正レンズの材料の屈折率をＮｐｚとするとき、
１．１＜Ｎｎｚ／Ｎｐｚ＜１．５
なる条件式を満足することを特徴とする請求項１乃至８のいずれか１項に記載の光学系。
【請求項１０】
前記前群の焦点距離をｆＬＡｚ、広角端における全系の焦点距離をｆｗとするとき、
１．０＜｜ｆＬＡｚ／ｆｗ｜＜２．０
なる条件式を満足することを特徴とする請求項１乃至９のいずれか１項に記載の光学系。
【請求項１１】
前記後群の焦点距離をｆＬＢｚ、広角端における全系の焦点距離をｆｗとするとき、
２．０＜ｆＬＢｚ／ｆｗ＜５．０
なる条件式を満足することを特徴とする請求項１乃至１０のいずれか１項に記載の光学系。
【請求項１２】
前記前群は負の屈折力の第１レンズ群より構成され、前記後群は、物体側から像側へ順に配置された、正の屈折力の第２レンズ群、正の屈折力の第３レンズ群より構成され、ズーミングに際して隣り合うレンズ群の間隔が変化することを特徴とする請求項１乃至１１のいずれか１項に記載の光学系。
【請求項１３】
前記レンズ系ＬＦは前記第２レンズ群であることを特徴とする請求項１２に記載の光学系。
【請求項１４】
最も大きな空気間隔を隔てて物体側から像側へ順に配置された、負の屈折力の前群と、正の屈折力の後群から構成される光学系において、
前記後群は、フォーカシングに際して移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面は凹形状であることを特徴とする光学系。
【請求項１５】
前記レンズ系ＬＦの焦点距離をｆｆ、全系の焦点距離をｆとするとき、
３．０＜ｆｆ／ｆ＜１５．０
なる条件式を満足することを特徴とする請求項１４に記載の光学系。
【請求項１６】
前記レンズユニットＧＡの最も物体側のレンズ面の曲率半径をＲ１ａ、前記レンズ系ＬＦの焦点距離をｆｆとするとき、
０．１＜Ｒ１ａ／ｆｆ＜０．５
なる条件式を満足することを特徴とする請求項１４又は１５に記載の光学系。
【請求項１７】
前記レンズユニットＧＢの最も物体側のレンズ面の曲率半径をＲ１ｂ、前記レンズ系ＬＦの焦点距離をｆｆとするとき、
０．１＜｜Ｒ１ｂ／ｆｆ｜＜０．６
なる条件式を満足することを特徴とする請求項１４乃至１６のいずれか１項に記載の光学系。
【請求項１８】
前記レンズユニットＧＡの最も像側のレンズ面とレンズユニットＧＢの最も物体側のレンズ面により形成される空気レンズの焦点距離をｆａｂ、前記レンズ系ＬＦの焦点距離をｆｆとするとき、
０．３＜｜ｆａｂ／ｆｆ｜＜１．５
なる条件式を満足することを特徴とする請求項１４乃至１７のいずれか１項に記載の光学系。
【請求項１９】
前記レンズユニットＧＢは負の屈折力を有することを特徴とする請求項１４乃至１８のいずれか１項に記載の光学系。
【請求項２０】
レンズ全長をＬ、全系の焦点距離をｆとするとき、
８．０＜Ｌ／ｆ＜２０
なる条件式を満足することを特徴とする請求項１４乃至１９のいずれか１項に記載の光学系。
【請求項２１】
前記レンズユニットＧＡは、負レンズと該負レンズの像側に隣接して配置された正レンズが接合された接合レンズＧＡＡからなり、前記接合レンズＧＡＡを構成する負レンズの材料の屈折率をＮｎ、前記接合レンズＧＡＡを構成する正レンズの材料の屈折率をＮｐとするとき、
１．１＜Ｎｎ／Ｎｐ＜１．５
なる条件式を満足することを特徴とする請求項１４乃至２０のいずれか１項に記載の光学系。
【請求項２２】
前記前群の焦点距離をｆＬＡ、全系の焦点距離をｆとするとき、
１．０＜｜ｆＬＡ／ｆ｜＜２．０
なる条件式を満足することを特徴とする請求項１４乃至２１のいずれか１項に記載の光学系。
【請求項２３】
前記後群の焦点距離をｆＬＢ、全系の焦点距離をｆとするとき、
２．０＜ｆＬＢ／ｆ＜５．０
なる条件式を満足することを特徴とする請求項１４乃至２２のいずれか１項に記載の光学系。
【請求項２４】
固体撮像素子に像を形成することを特徴とする請求項１乃至２３のいずれか１項に記載の光学系。
【請求項２５】
請求項１乃至２４のいずれか１項に記載の光学系と、該光学系によって形成された像を受光する固体撮像素子とを有することを特徴とする撮像装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
物体側から像側へ順に配置された、負の屈折力の前群と、正の屈折力の後群から構成され、ズーミングに際して前記前群と前記後群が互いに異なる軌跡で移動する光学系において、前記後群はフォーカシングに際して移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面は凹形状であることを特徴としている。
【手続補正４】
【補正対象書類名】明細書
【補正対象項目名】００１４
【補正方法】変更
【補正の内容】
【００１４】
最も大きな空気間隔を隔てて、物体側から像側へ順に配置された、負の屈折力の前群と、正の屈折力の後群から構成される光学系において、前記後群はフォーカシングに際して移動する正の屈折力のレンズ系ＬＦを有し、前記レンズ系ＬＦは、物体側から像側へ順に、正の屈折力のレンズユニットＧＡ、正または負の屈折力のレンズユニットＧＢを有し、前記レンズユニットＧＢの最も物体側のレンズ面は凹形状であることを特徴としている。
【手続補正５】
【補正対象書類名】明細書
【補正対象項目名】００１８
【補正方法】変更
【補正の内容】
【００１８】
本発明の光学系は、単一焦点距離の撮影光学系よりなるときは、最も大きな空気間隔を隔てて（境に）、又はズームレンズのときは広角端において最も大きな空気間隔を境に、物体側から像側へ順に、負の屈折力の前群ＬＡと、正の屈折力の後群ＬＢから構成される。後群ＬＢはフォーカシングに際して光軸上を移動する正の屈折力のレンズ系ＬＦを有する。
レンズ系ＬＦは、物体側から像側へ順に、正の屈折力のレンズユニットＧＡ、正または
負の屈折力のレンズユニットＧＢを有し、レンズユニットＧＢの最も物体側のレンズ面が
凹形状である。ここでレンズユニットとは単一レンズ又は複数のレンズを接合した接合レ
ンズをいう。
【手続補正６】
【補正対象書類名】明細書
【補正対象項目名】００３３
【補正方法】変更
【補正の内容】
【００３３】
各実施例の光学系において、後群ＬＢは光軸上を移動してフォーカスを行う正の屈折力のレンズ系ＬＦを有している。レンズ系ＬＦは、物体側から像側へ順に、正の屈折力のレンズユニットＧＡ、正または負の屈折力のレンズユニットＧＢを有している。レンズユニットＧＢの最も物体側のレンズ面は凹形状である。超広画角レンズを設計する際には、前玉有効径があまり増大しないようにしつつ、画面全体で良好なる光学性能を得ることが重要になってくる。
【手続補正７】
【補正対象書類名】明細書
【補正対象項目名】００４０
【補正方法】変更
【補正の内容】
【００４０】
レンズユニットＧＡは、負レンズと該負レンズの像側に隣接して配置された正レンズを接合した接合レンズＧＡＡからなる。接合レンズＧＡＡを構成する負レンズの材料の屈折率をＮｎｚ、接合レンズＧＡＡを構成する正レンズの材料の屈折率をＮｐｚとする。前群ＬＡの焦点距離をｆＬＡｚとする。後群ＬＢの焦点距離をｆＬＢｚとする。
【手続補正８】
【補正対象書類名】明細書
【補正対象項目名】００４３
【補正方法】変更
【補正の内容】
【００４３】
レンズユニットＧＡは、負レンズと該負レンズの像側に隣接して配置された正レンズを接合した接合レンズＧＡＡからなる。接合レンズＧＡＡを構成する負レンズの材料の屈折率をＮｎ、接合レンズＧＡＡを構成する正レンズの材料の屈折率をＮｐとする。前群ＬＡの焦点距離をｆＬＡとする。後群ＬＢの焦点距離をｆＬＢとする。このとき次の条件式のうち１以上を満足するのが良い。
【手続補正９】
【補正対象書類名】明細書
【補正対象項目名】００６０
【補正方法】変更
【補正の内容】
【００６０】
各実施例において好ましくは次の構成をとるのが良い。各実施例において、レンズユニットＧＢは負の屈折力を有するのが良い。レンズユニットＧＢが負の屈折力を有することで、正の屈折力のレンズユニットＧＡの屈折力を強くすることが出来、レンズユニットＧＡの最も物体側のレンズ面の曲率半径を小さくし易い。このため、近距離へのフォーカシングに際して像面湾曲の補正が容易となる。また、レンズユニットＧＢの最も物体側のレンズ面を凹形状としている。これによれば、フォーカス用のレンズ系ＬＦで発生する球面収差を補正することが容易となる。